(57)【要約】      （修正有）【課題】粘土板として使用する際机上で滑りにくく、粘土を捏ねたり丸めたり、或いは叩き付けたりといったことがし易く、また、カッティングマットとして使用する際カッターで引き切るときに紙が滑りにくく、うまく紙を切ることのできる工作マットを提供する。【解決手段】一面がカッティングマット２として、他面が粘土板３として使用される工作マット１であって、カッティングマット２に滑り止めを施した。【選択図】図１
0003180359.tif 000002
【実用新案登録請求の範囲】
【請求項１】
一面がカッティングマットとして、他面が粘土板として使用される工作マットであって、
前記カッティングマットに滑り止めが施されたことを特徴とする工作マット。
【請求項２】
請求項１に記載の工作マットであって、
前記滑り止めは、前記カッティングマットの表面に施されたエンボス加工によるものであることを特徴とする工作マット。
【請求項３】
請求項１に記載の工作マットであって、
前記滑り止めは、前記カッティングマットの素材に微粒子を混練することによるものであることを特徴とする工作マット。
【請求項４】
請求項１に記載の工作マットであって、
前記カッティングマットが、ポリエチレン樹脂から成形されたことを特徴とする工作マット。
【考案の詳細な説明】
【技術分野】
【０００１】
本考案は、一面をカッティングマットとして、他面を粘土板として使用することのできる工作マットに関する。
【背景技術】
【０００２】
幼稚園や小学校において、紙切り工作や粘土工作等を行う際には園児や児童に工作マットを使用させている。この工作マットは、その一面がカッティングマット、他面が粘土板となっており、紙切り工作のときには、カッターの刃先で机上が傷ついたりするのを防止し、また、粘土細工のときには、机上に粘土が付着するのを防止する。このように工作マットは２つの機能を併せ持つため、園児や児童は、カッティングマットと粘土板の２つを買い揃える必要がなく経済的で、また、幼稚園や小学校に工作板を１つだけ持っていけばよく、持ち運びや保管に便利である。
【０００３】
上記のような工作マットは、従来、硬質ポリ塩化ビニル樹脂からなり、芯材シートの一面にカッティングマットを、他面に粘土板を貼り合わせたものが公知である（例えば、非特許文献１参照）。
【先行技術文献】
【非特許文献】
【０００４】
【非特許文献１】株式会社誠文社、“工作マット”、“製品紹介  小学校用品  図  工科”、[online]、［平成２４年９月１２日検索］、インターネット＜URL：http://w  ww.seibunsya.co.jp/products/shogaku/zukou/kosaku.html＞
【考案の概要】
【考案が解決しようとする課題】
【０００５】
しかしながら、従来の工作マットにあっては、カッティングマットの表面が滑りやすい性状であるため、粘土工作を行う際に粘土板の面を上にカッティングマットの面を下にして机上に載置し、粘土板の面上で粘土を捏ねたり丸めたり、或いは叩き付けたりすると、工作マットが机上で容易に滑ってしまい、粘土工作がしにくいといった不都合があった。
【０００６】
また、カッティングマットの面上に紙を置きカッターで引き切る際、紙がカッターに引っ張られてカッティングマット上を滑り易く、このため、うまく紙を切ることができないことが起き易いといった不都合もあった。
【０００７】
本考案は、係る点に鑑みて創案されたものであり、その目的とするところは、粘土板として使用する際机上で滑りにくく、粘土を捏ねたり丸めたり、或いは叩き付けたりといったことがし易く、また、カッティングマットとして使用する際カッターで引き切るときに紙が滑りにくく、うまく紙を切ることのできる工作マットを提供しようとするものである。
【課題を解決するための手段】
【０００８】
上記した目的を達成するため、本考案に係る工作マットは、一面がカッティングマットとして、他面が粘土板として使用される工作マットであって、前記カッティングマットに滑り止めが施されたことを特徴とするものである。
【０００９】
このような特定事項により、本考案に係る工作マットにあっては、粘土板として使用する際机上で滑りにくく、粘土を捏ねたり丸めたり、或いは叩き付けたりといったことがし易くなり、また、カッティングマットとして使用する際カッターで引き切るときに紙が滑りにくく、うまく紙を切ることができる。
【００１０】
上記の滑り止めの手段としては、カッティングマットの表面に微小なエンボス加工を施して粗面としたり、例えば砂などの微小粒子をカッティングマットの素材に混練したりすることが挙げられる。また、それ以外に、成形後に摩擦係数の大きな表面となるような、例えば、ポリエチレンといった合成樹脂材をカッティングマットの材料として採用してもよい。
【考案の効果】
【００１１】
本考案によれば、粘土板として使用する際机上で滑りにくく、粘土を捏ねたり丸めたり、或いは叩き付けたりといったことがし易く、また、カッティングマットとして使用する際カッターで引き切るときに紙が滑りにくく、うまく紙を切ることのできる工作マットを提供することができる。
【図面の簡単な説明】
【００１２】
【図１】本考案に係る工作マットの一実施形態を示し、カッティングマット側から視た斜視図である。
【図２】図１に示す工作マットを粘土板側から視た斜視図である。
【図３】図１に示す工作マットの部分断面図である。
【考案を実施するための形態】
【００１３】
以下、本考案に係る工作マットの一実施形態について、図面を参照して説明する。
【００１４】
図１は、工作マットをカッティングマット側から視た斜視図、図２は、工作マットを粘土板側から視た斜視図、図３は、工作マットの部分断面図である。
【００１５】
この工作マット１は、一面がカッティングマット２として、他面が粘土板３として使用されるものであり、図３に示すように、芯材４の一方の面にカッティングマット２が、他方の面に粘土板３が、それぞれ張り合わされた構成となっている。
【００１６】
カッティングマット２の表面は、机上面と接した際、及び、紙が載置された際にそれぞれ滑りにくいよう、滑り止め加工が施されている。その手段としては、例えば、カッティングマット２の表面に微小なエンボス加工を施して粗面としたり、例えば砂などの微小粒子をカッティングマット２の素材に混練したりすること等が挙げられる。また、それ以外に、成形後に摩擦係数の大きな表面となるような、例えば、ポリエチレンいった合成樹脂材をカッティングマット２の材料として採用してもよい。このように、カッティングマット２の表面に滑り止めが施されたことにより、粘土板として使用する際机上で滑りにくく、粘土Ｓを捏ねたり丸めたり、或いは叩き付けたりといったことがし易くなり、また、カッティングマットとして使用する際カッターＣで紙Ｐ引き切るときに紙Ｐが滑りにくく、うまく紙Ｐを切ることができる。
【００１７】
また、カッティングマット２の表面には、紙切り工作を行う際に、切断寸法等が分かり易いように、方眼目盛り２１が、例えば、印刷等の手段により表示されている。
【００１８】
なお、図中の符号２２は、所有者の名前が記載できる記名欄を示す。
【００１９】
粘土板３は、従来の工作マットと同様、粘土Ｓが付着しにくい性状に仕上げられており、この上で、粘土Ｓを捏ねたり丸めたりし易くなっている。
【００２０】
上記の工作マット１は、図３に示すように、例えば、シート状のポリ塩化ビニル樹脂を７層に亘り積層した構造とし、一方の面を上記したカッティングマット２として他方の面を上記した粘土板３とし、これらカッティングマット２と粘土板３との間の五層を芯材４としているが、これに限らず、芯材４の層数を増減したり、或いは、芯材４を省いてカッティングマット２と粘土板３とを相互の裏面同士で貼り合わせた構造としてもよい。
【符号の説明】
【００２１】
１  工作マット
２  カッティングマット
３  粘土板
【図１】
0003180359.tif 000003
【図２】
0003180359.tif 000004
【図３】
0003180359.tif 000005